(57)【要約】　　　（修正有）【課題】ガラス基板、ウェハ等の板状体の表面を研磨する、上側が加圧定盤およびそれに貼着した軟質樹脂製の発泡シートであるバックパッド、下側が回転可能な研磨盤及およびそれに貼着した研磨布からなる片面研磨装置において、研磨後のガラス基板に発生する局部的な凹みによる研磨ムラの発生を防止する。【解決手段】下面に下面側内部から外周部までつながった線状の凹み２を加工した加圧定盤１、もしくは下面側を全面を磨り面状に加工した加圧定盤を用い、研磨ムラの原因となる加圧定盤にバックパッドを貼着した際の空気の噛みこみを防止する。【選択図】　図１
2004090120.tif 000002
【特許請求の範囲】
【請求項１】
多孔質樹脂製の発泡シートからなるバックパッドにより保持した板状体を、回転する研磨盤上の研磨布に加圧定盤にて押圧して、板状体表面を研磨する片面研磨装置に用いる加圧定盤において、加圧定盤の下面は内面部から外周部まで繋がった多数の線状の凹みを有することを特徴とする片面研磨装置に用いる加圧定盤。
【請求項２】
多孔質樹脂製の発泡シートからなるバックパッドにより保持した板状体を、回転する研磨盤上の研磨布に加圧定盤にて押圧して、板状体表面を研磨する片面研磨装置に用いる加圧定盤において、加圧定盤の下面が磨り面状であることを特徴とする片面研磨装置に用いる加圧定盤。
【請求項３】
多孔質樹脂製の発泡シートからなるバックパッドにより保持した板状体を、回転する研磨盤上の研磨布に加圧定盤にて押圧して、板状体表面を研磨する片面研磨装置に用いる加圧定盤において、加圧定盤の下面は内面部から外周部まで繋がった多数の線状の凹みを有し、かつ磨り面状であることを特徴とする片面研磨装置に用いる加圧定盤。
【請求項４】
線状の凹みのサイズが幅０．０５ｍｍ以上、１ｍｍ以下、深さが０．０１ｍｍ以上、１ｍｍ以下の範囲であることを特徴とする請求項１または請求項３に記載の片面研磨装置に用いる加圧定盤。
【請求項５】
磨り面状の凹凸のサイズが１μｍ以上、１００μｍ以下の範囲であることを特徴とする請求項２または請求項３に記載の片面研磨装置に用いる加圧定盤。
【発明の詳細な説明】
【０００１】
【発明の属する技術分野】
本発明は、板状体、例えば液晶ディスプレイ用ガラス基板、フォトマスク用ガラス基板、磁気ディスク用ガラス基板、シリコンウェハ等、特に液晶ディスプレイ用ガラス基板の片側を支持し、その反対側の表面を研磨する片面研磨装置に用いる加圧定盤に関するものである。
【０００２】
【従来の技術】
液晶ディスプレイ用ガラス基板、フォトマスク用ガラス基板、磁気ディスク用ガラス基板、シリコンウェハ等に使用する基板の製造直後の表面は、完全な平滑面ではなく、多少のうねりやマイクロコルゲーション、凹凸、キズ等を有している。よって、通常、これらの基板は研磨により平滑な面に加工される。
【０００３】
従来、一般的に行われているオスカー式研磨機等による片面研磨は、上部の加圧定盤に、基板が収まる開口穴を開けた基板ホルダーを貼り付け、基板を基板ホルダーに保持した状態で、酸化セリウム等の微粉からなる研磨材を水に懸濁させてスラリーとした研磨液を供給しつつ、回転する下側の研磨盤の盤面に貼着された研磨布に片面を押しつけて、研磨加工する方法で行われる。
【０００４】
尚、オスカー式研磨機においては、上側の加圧定盤と下側の研磨盤の揺動運動および回転によって基板の研磨面を均一に研磨している。即ち、通常、加圧定盤は揺動自在なアームに自転可能に取り付けられ、この加圧定盤には基板を保持するための保持具が取り付けられている。
【０００５】
この保持具は加圧定盤の下面に接着材または粘着材によって貼着される発泡弾性体等のバックアップ部材とバックアップ部材の下面側に接着材によって貼着されるベークライト等の保持板、即ち、基板ホルダーよりなる。この基板ホルダーの中央部には、基板の大きさおよび形状に合わせた形状の開口穴が形成されている。基板が基板ホルダーに開けられた開口穴に保持された状態で、基板の下側の、研磨布を貼り付けた研磨盤を回転させ、研磨布に加圧定盤で基板の研磨面を押圧し研磨を行う。
【０００６】
例えば、特開平５−１２３９６３号公報に示される液晶用大型マスク基板のように無欠陥、高精度が要求される場合は加圧定盤側に軟質の布を貼り付けるという方法が開示されている。
【０００７】
また、特開平６−２３８５５９号公報には、基板ホルダー側面部にまで軟質の布を貼り付け基板の端面部におけるクラック、割れ、キズの発生を防止する方法が開示されている。
【０００８】
更に、特開平７−１３６９２７号公報には、軟質の布に親水性物質を塗り布の乾燥をなくし布の劣化を抑制し交換による工数を削減する方法が開示されている。
【０００９】
一方、加圧定盤側に基板を保持するための基板ホルダーを用いない片面研磨機において、基板の片面を研磨する際、上側の加圧定盤に貼着したバックパッドと通称する多孔質軟質樹脂よりなる厚さ１ｍｍ程度の発泡シートに、基板を密着させた状態で、該バックパッドと下側の研磨盤に貼着した研磨布の間に、研磨対象である基板を挟み込み、研磨材を供給しながら、研磨布に押し付け、下側の研磨盤を回転させることによって基板の片面を研磨する。
【００１０】
詳しくは、両面粘着シートを予め全面に貼ったバックパッドを、加圧定盤下面側にもう一方の粘着面により貼り付けた後で、基板の非研磨面側をバックパッド下面側に密着固定させる。バックパッドに適量の水を含ませ、加圧ローラ等を用いて、基板を密着させると水の表面張力およびバックパッドの粘着性で、基板がバックパッド下面側に固定される。密着固定した基板の研磨面側を、加圧定盤で回転する研磨盤上に両面粘着シートで貼り付けられた研磨布に、加圧定盤にて押圧して研磨する。
【００１１】
【発明が解決しようとする課題】
バックパッドを加圧定盤下面に貼着する際、バックパッドと下面の間に気泡が残り局部的な凸部となり、そのことが原因で、研磨後の基板表面には局部的な凹みによる研磨ムラが発生し欠陥となるという問題があった。
【００１２】
【課題を解決するための手段】
本発明者は、この問題を解決する方法を検討した結果、加圧定盤下面を多数の線状の凹みを有する状態、および磨り面状とし、気泡が残ることを防止することが効果的であることがわかった。
【００１３】
即ち、本発明は多孔質樹脂製の発泡シートからなるバックパッドにより保持した板状体を、回転する研磨盤上の研磨布に加圧定盤にて押圧して、板状体表面を研磨する片面研磨装置に用いる加圧定盤において、加圧定盤の下面は内面部から外周部まで繋がった多数の線状の凹みを有することを特徴とする片面研磨装置に用いる研磨用加圧定盤である。
【００１４】
更に、本発明は、多孔質樹脂製の発泡シートからなるバックパッドにより保持した板状体を、回転する研磨盤上の研磨布に加圧定盤にて押圧して、板状体表面を研磨する片面研磨装置に用いる加圧定盤において、下面が磨り面状であることを特徴とする片面研磨装置に用いる加圧定盤である。
【００１５】
更に、本発明は、多孔質樹脂製の発泡シートからなるバックパッドにより保持した板状体を、回転する研磨盤および研磨布に加圧定盤にて押圧して、板状体表面を研磨する片面研磨装置に用いる加圧定盤において、下面に内面部から外周部まで繋がった多数の線状の凹みを有し、かつ下面が磨り面状であることを特徴とする片面研磨装置に用いる加圧定盤である。
【００１６】
更に本発明は、線状の凹みのサイズが幅０．０５ｍｍ以上、１ｍｍ以下、深さが０．０１ｍｍ以上、１ｍｍ以下の範囲であることを特徴とする上記の片面研磨装置に用いる加圧定盤である。
【００１７】
更に、本発明は、磨り面状の凹凸のサイズが１μｍ以上、１００μｍ以下の範囲であることを特徴とする上記の片面研磨装置に用いる加圧定盤である。
【００１８】
片面研磨装置において、基板の片面を研磨する際、上側に加圧定盤、バックパッドと通称する多孔質樹脂よりなる発泡シートおよび基板を保持するためのホルダーを配し、下側に研磨盤および研磨布を配し、バックパッドと研磨布の間に研磨対象である基板を挟み込み、加圧定盤で基板の片面を下側の回転する研磨盤および研磨布に押圧し研磨する。加圧定盤の下面に凹凸があると、研磨後の基板に凹凸が転写し研磨面が平滑で無くなるので、加圧定盤下面は高精度の平面度が必要とされ、凹凸無きよう表面加工される。即ち、研磨用加圧定盤は下面を高精度の平面度とするため磨き込まれ滑らかな鏡面状態となっている。
【００１９】
本発明者が鋭意調査したところ、バックパッドを加圧定盤下面に貼り付ける際に、両面粘着シートと加圧定盤下面の貼り付け面の間に数ｍｍ程度の気泡が多数発生し、該気泡の大きさは、バックパッドの厚み約０．４〜１ｍｍと同程度の大きさであることが判った。これは加圧定盤下面が高精度の平面度とするため磨き込まれ滑らかな鏡面状態となっているため、両面粘着シートを加圧定盤の下面に貼り付けた際に、空気の逃げる隙間が無く、貼り付け面に空気が閉じこめられ、エアーの噛みこみによる気泡が発生するためであり、かなり慎重に作業しても気泡の発生を無くすことは困難である。更に調査したところ、バックパッドの厚みと同程度の大きさの気泡が発生することにより、バックパッド上に凸部が生じ、バックパッドの凸部が原因で研磨作業時の研磨圧に局部的な異常が生じ、研磨後の基板の表面に、局部的な凹みによる研磨ムラが発生し欠陥となることが判った。
【００２０】
そこで、気泡の発生を防止する方法として、加圧定盤の下面に内面部から外周部までつながった多数の線状の凹みを加工する、下面の全面を磨り面状にする、あるいは両方の加工を同時に行うこととした。即ち、加圧定盤に粘着シートを貼り付ける際に、多数の線状の凹み、あるいは、磨り面による隙間より空気を逃がし、気泡の発生を無くすこととした。下面に線状の凹みを付ける場合は、下面内面部から外周部まで抜けるように凹みを付けないと、隙間があっても行き止まりとなるため空気は逃げ場を失い、問題となる気泡が発生する。線状の凹みの数が多いほど、空気を逃がす効果が大きくなるので、線状の凹みは多い方が好ましいが、加圧定盤の平面度を損い、研磨後の基板の平面度に影響するほど多いことは好ましくない。線状の凹みによる加圧定盤下面のパターンは下面内面部から外周部まで凹みが繋がっていれば問わないが、線状の凹みが一点に集中するとその部分が大きな凹みとなり好ましくない。
【００２１】
本発明における加圧定盤下面の線状の凹みのサイズは、幅が０．０５ｍｍ以上、１ｍｍ以下、深さが０．０１ｍｍ以上、１ｍｍ以下の範囲であることが好ましい。幅、０．０５ｍｍ、深さ、０．０１ｍｍより小さいと空気を逃がす効果が無く、幅、１ｍｍ、深さ、１ｍｍより大きいと加圧定盤の平滑性を損ない、研磨後の基板の平滑性を低化させる。
【００２２】
一方、本発明における加圧定盤下面を磨り面状とした際の凹凸のサイズは、１μｍ以上、１００μｍ以下の範囲であることが好ましい。１μｍより小さいと、空気を逃がす効果が無く、１００μｍより大きいと、加圧用研磨定盤の平滑性を損ない、研磨後の基板の平滑性を低下させる。
【００２３】
加圧定盤の下面の加工方法としては、固定砥石で平面度を出す研削加工と遊離砥粒で平面度をだすラッピング加工等が挙げられる。研磨用加圧定盤下面に線状の凹みを多数加工するには切削加工が適している。ラッピング加工は、研磨砥粒（研磨剤）を挟んだ状態で、摺動運動（摺り合わせ）を行い、加工物を微少切削しながら研磨することによって、加工物をより平坦に仕上げていく遊離砥粒加工であり、研磨定盤下面を梨地状の磨り面に加工する際に、遊離砥粒の粒径を調整し所定の凹凸のサイズを得ることが可能である。
【００２４】
【発明の実施の形態】
図３は、本発明の加圧定盤を用いる片面研磨装置の主要部の側面図である。
【００２５】
ガラス基板４を片面研磨する際は、上側に加圧定盤１を配し、研磨対象であるガラス基板４を挟み込んだ下側の研磨盤５を回転させることによって研磨する。
【００２６】
図３に示すように、加圧定盤１の下面に、両面粘着シート６でバックパッド７と通称する軟質樹脂からなる発泡シートを貼り付け、更に、バックパッド７の下面側にガラス基板４の非研磨面側を密着固定する。ガラス基板４のバックパッド７への固定はバックパッド７に水を含ませ、ガラス基板４を接触させると水の表面張力およびバックパッド７の粘着性で、ガラス基板４が強く密着しバックパッド７に固定する。自転軸８を中心に回転可能な加圧定盤１を加圧し、固定したガラス基板４の下面側である研磨面を、回転駆動軸９を中心に回転する研磨盤５に、両面粘着シート６’で貼り付けた研磨布１０に加圧し押しつけることで研磨加工を行う。
【００２７】
本発明の研磨用加圧定盤１の下面の、貼着時に空気を逃がすための表面加工の例を、図１および図２に示す。図１は、下面に多数の凹みを設けた本発明の研磨用加圧定盤の平面図である。図２の（ａ）は、下面に磨り面状加工を施した加圧定盤の平面図である。（ｂ）は、図２の（ａ）において、Ａ−Ａ’で示される部分の断面図である。
【００２８】
図１の（ａ）〜（ｄ）に示すように加圧定盤１の下面に加圧定盤外周に達する多数の線状の凹み２を付けることよりなる表面加工を行う。下面の多数の線状の凹み２は、下面の内面部から外周部まで繋がっていれば、パターンは問わない。
【００２９】
または、図２の（ａ）および（ａ）に図示したＡ−Ａ’の断面図（ｂ）に示すように、加圧定盤１の下面を磨り面状加工面３にする表面加工を行う。
【００３０】
磨り面とは、細かい凹凸を擁し手触りがザラザラした梨地面であり、例えば、遊離砥粒（研磨剤）を挟んだ状態で摺動運動（すりあわせ）を行い、加工物を微少切削しながら研磨することによって、加工物をより平坦に仕上げていく遊離砥粒加工であるラッピング加工により形成する。
【００３１】
【実施例】
実施例１
鏡面状態にまで滑らかに表面加工された直径７０ｃｍの加圧定盤１の下面を、研削砥石で、外周へ向け、幅０．７ｍｍ、深さ０．５ｍｍ線状の凹みが抜けるように多数加工し、両面粘着シート６を使用して、厚さ１ｍｍのバックパッド７を貼り付けたところ、エアーの噛みこみによる気泡は、直径１ｍｍの物が２個発生したのみで、非常に良好な貼付の状態が得られた。貼着したバックバッド７に、研磨対象である基板、板厚、０．７ｍｍ、サイズ、３６０ｍｍ×４６０ｍｍの液晶ディスプレイ向け基板４を密着固定させ、片面研磨機により、研磨圧１００ｇ／ｃｍ２、研磨時間３００秒／枚の条件で研磨加工したところ、凹みによる研磨ムラのない非常に良好な研磨面が得られた。
実施例２
鏡面状態にまで滑らかに表面加工された直径７０ｃｍの加圧定盤１の下面を、凹凸のサイズ７０μｍで磨り面状に全面ラッピング加工し、両面粘着シート６を使用して、厚さ１ｍｍのバックパッド７を貼り付けたところ、気泡は、直径１ｍｍのものが２個発生したのみで、非常に良好な貼付の状態が得られた。貼着したバックバッド７に、前記基板を密着固定させ、片面研磨機により実施例１と同様の条件で研磨加工したところ、凹みによる研磨ムラのない非常に良好な研磨面が得られた。
比較例１
鏡面状態にまで滑らかに表面加工された直径７０ｃｍの加圧定盤１の下面を加工しないで、両面粘着シート６を使用して、厚さ１ｍｍのバックパッド７を貼り付けたところ、直径、最小１ｍｍから最大１８ｍｍのエアーの噛みこみによる気泡が１９ヶ所発生し、バックパッド７上に該気泡による凸部が多数発生した。貼着したバックパッド７に、前記基板を４密着固定させ、片面研磨機により実施例１と同様の条件で研磨加工したところ、バックパッドの凸部の影響により、研磨面に欠陥である凹みによる研磨ムラが発生した。
比較例２
鏡面状態にまで滑らかに表面加工された直径７０ｃｍの加圧定盤１の下面を研削砥石で下面の外周へ向け線状の凹みが抜けないように加工し、両面粘着シートを使用して、厚さ１ｍｍのバックパッドを貼り付けたところ、数ｍｍから１０数ｍｍのエアーの噛みこみが１２ヶ所発生し、バックパッド７上にエアーの噛み込みによる凸部が多数発生した。貼着したバックバッド７に該基板４を貼り付け、片面研磨機により実施例１と同様の条件で研磨加工したところ、バックパッド７の凸部の影響により研磨面に欠陥である凹みによる研磨ムラが発生した。
【００３２】
【発明の効果】
本発明により、加圧定盤とバックパッドを両面粘着シートを使用して貼り付けた際に、加圧定盤の下面と粘着シートの貼付部位に、エアーの噛みこみによる気泡の発生が殆ど無くなることにより、バックパッド上に凸部が発生せず、研磨後の基板に局部的に発生する凹みによる研磨ムラが無くなる。
【図面の簡単な説明】
【図１】（ａ）〜（ｄ）は、本発明の実施例において、下面に多数の凹みを設けた研磨用加圧定盤の平面図である。
【図２】（ａ）は、本発明の実施例において、下面に磨り面状加工を施した加圧定盤の平面図である。（ｂ）は、図２（ａ）において、Ａ−Ａ’で示される部分の断面図である。
【図３】本発明の加圧定盤を用いる片面研磨装置の主要部の側面図である。
【符号の説明】
１　　加圧定盤
２　　線状の凹み
３　　磨り面状加工面
４　　ガラス基板
【図１】
2004090120.tif 000003
【図２】
2004090120.tif 000004
【図３】
2004090120.tif 000005